(57)【要約】【課題】本発明は、開閉時のノイズの発生を防止できるオーディオ装置を提供することを目的とする。【解決手段】電源ユニットから出力された動作電圧を受信してオーディオ信号を出力する制御ユニットと、受信した前記オーディオ信号に対して処理を行った後スピーカーに送信して音声を再生させる増幅器と、を備えるオーディオ装置において、前記オーディオ装置は、第一検出ユニット及び前記電源ユニットに接続される信号生成ユニットをさらに備え、前記電源ユニットがオンされると、前記信号生成ユニットは、前記第一検出ユニットから出力される検出信号及び前記電源ユニットから出力される電圧に基づいて、前記増幅器にミュート信号を送信し、前記増幅器は、前記ミュート信号に基づいて出力を停止し、前記スピーカーの音声の再生を停止させる。【選択図】図１
2011139444.tif 000002
【特許請求の範囲】
【請求項１】
電源ユニットから出力された動作電圧を受信してオーディオ信号を出力する制御ユニットと、受信した前記オーディオ信号を増幅する増幅器と、増幅器から出力された信号を受信して音声を再生するスピーカーと、を備えるオーディオ装置において、
前記オーディオ装置は、第一検出ユニット及び前記電源ユニットに接続される信号生成ユニットをさらに備え、
前記電源ユニットがオンされると、前記信号生成ユニットは、前記第一検出ユニットから出力される検出信号及び前記電源ユニットから出力される電圧に基づいて、前記増幅器にミュート信号を送信し、前記増幅器は、前記ミュート信号に基づいて出力を停止し、前記スピーカーの音声の再生を停止させることを特徴とするオーディオ装置。
【請求項２】
前記電源ユニットがオンされた後、前記第一検出ユニットは、前記信号生成ユニットに制御信号を送信し、前記信号生成ユニットは、前記制御信号及び前記電源ユニットから出力される電圧に基づいてミュート信号の入力を停止させることを特徴とする請求項１に記載のオーディオ装置。
【請求項３】
前記オーディオ装置は、第二検出ユニットをさらに備え、前記制御ユニットは、前記電圧源が遮断されると、前記第二検出ユニットにトリガー信号を送信し、前記第二検出ユニットは、前記トリガー信号に基づいて前記信号生成ユニットに検出信号を送信し、前記信号生成ユニットのミュート信号の出力を制御することを特徴とする請求項１に記載のオーディオ装置。
【請求項４】
前記第一検出ユニットは、第一電気抵抗と、第二電気抵抗と、第二キャパシタンスと、を備え、前記第一電気抵抗の一端は、前記電源ユニットと前記信号生成ユニットとの間に接続され、他端は、前記第二キャパシタンスを介して接地され、前記第二電気抵抗の一端は、前記第一電気抵抗と前記第二キャパシタンスとの間に接続され、他端は、前記信号生成ユニットに接続されることを特徴とする請求項１に記載のオーディオ装置。
【請求項５】
前記電源ユニットは、電圧源及び第一キャパシタンスを備え、前記第一キャパシタンスの一端は、前記電圧源に接続され、他端は、接地されることを特徴とする請求項３に記載のオーディオ装置。
【請求項６】
前記第二検出ユニットは、第五電気抵抗及び第四スイッチユニットを備え、前記第五電気抵抗の一端は、前記制御ユニットに接続され、他端は、前記第四スイッチユニットのベース電極に接続され、前記第四スイッチユニットのエミッタ電極は、接地され、前記第四スイッチユニットのコレクタ電極は、前記第一検出ユニット及び前記信号生成ユニットに接続されることを特徴とする請求項５に記載のオーディオ装置。
【請求項７】
前記第二検出ユニットは、第六電気抵抗及び第三キャパシタンスをさらに備え、前記第六電気抵抗及び前記第三キャパシタンスは、前記第四スイッチユニットのベース電極とグランドとの間に並列に接続されることを特徴とする請求項６に記載のオーディオ装置。
【請求項８】
前記信号生成ユニットは、第一スイッチユニットと、第三スイッチユニットと、を備え、前記第一スイッチユニットのベースは前記第四スイッチユニットのコレクタ電極に接続され、前記第四スイッチユニットのエミッタ電極は前記電圧源に接続され、前記第一スイッチユニットのコレクタ電極は第三スイッチユニットのベースに接続され、前記第三スイッチユニットのコレクタ電極は前記増幅器に接続され、前記第三スイッチユニットのエミッタ電極はグランドに接続されることを特徴とする請求項６に記載のオーディオ装置。
【請求項９】
前記信号生成ユニットは、第四電気抵抗及び第二スイッチユニットをさらに備え、前記第四電気抵抗の一端は、前記電圧源と前記第一スイッチユニットのエミッタ電極との間に接続され、他端は、前記第二スイッチユニットのベース電極に接続され、前記第二スイッチユニットのエミッタ電極は、前記第一検出ユニットに接続され、前記第二スイッチユニットのコレクタ電極は、前記第三スイッチユニットのベース電極に接続されることを特徴とする請求項８に記載のオーディオ装置。
【発明の詳細な説明】
【技術分野】
【０００１】
本発明は、電子技術に関し、特にオーディオ装置に関するものである。
【背景技術】
【０００２】
生活水準の向上に伴って、携帯式ＤＶＤ、テレビなどのようなオーディオ装置に対する要求もますます高くなっている。従来のオーディオ装置がオンまたはオフされた場合、通常、電源を急速に遮断したり又は供給したりすることにより、スピーカーを介して「バンバン」というノイズが生じてしまう。このように、ユーザーに不快感を与える。
【発明の概要】
【発明が解決しようとする課題】
【０００３】
以上の問題点に鑑みて、本発明は、開閉時のノイズの発生を防止できるオーディオ装置を提供することを目的とする。
【課題を解決するための手段】
【０００４】
電源ユニットから出力された動作電圧を受信してオーディオ信号を出力する制御ユニットと、受信した前記オーディオ信号を増幅する増幅器と、増幅器から出力された信号を受信して音声を再生するスピーカーと、を備えるオーディオ装置において、前記オーディオ装置は、第一検出ユニット及び前記電源ユニットに接続される信号生成ユニットをさらに備え、前記電源ユニットがオンされると、前記信号生成ユニットは、前記第一検出ユニットから出力される検出信号及び前記電源ユニットから出力される電圧に基づいて、前記増幅器にミュート信号を送信し、前記増幅器は、前記ミュート信号に基づいて出力を停止し、前記スピーカーの音声の再生を停止させる。
【発明の効果】
【０００５】
本発明に係るオーディオ装置において、電圧源がオンされると、即ちオーディオ装置がオンされる瞬間、制御ユニットは、第一検出ユニットから出力される検出信号及び前記電圧源から出力される電圧を受信することにより、増幅器にミュート信号を送信し、前記増幅器は、前記ミュート信号に基づいて出力を停止し、スピーカーの駆動を停止させ、前記オーディオ装置がオンされるオフされる時のノイズの発生を防止する。
【図面の簡単な説明】
【０００６】
【図１】本発明に係るオーディオ装置のブロック図である。
【図２】図1に示したオーディオ装置の回路図である。
【発明を実施するための形態】
【０００７】
図１は、本発明に係るオーディオ装置１００のブロック図である。前記オーディオ装置１００は、制御ユニット１０、ミュート制御回路２０及び増幅器３０を備える。前記制御ユニット１０及び前記ミュート制御回路２０は、外部の電源ユニット４０が出力した直流電圧を受信する。前記制御ユニット１０は、前記増幅器３０にオーディオ信号を送信し、前記増幅器３０は、前記オーディオ信号に対して増幅処理を行った後、外部のスピーカー５０に伝送して放送する。
【０００８】
前記電源ユニット４０がオンされると、即ち前記オーディオ装置１００がオンされる瞬間、前記ミュート制御回路２０は、前記増幅器３０にミュート信号を送信し、前記増幅器３０は、前記ミュート信号に基づいて出力を停止し、前記スピーカー５０の音声の再生を停止させて、前記オーディオ装置１００がオンされる時のノイズの発生を防止する。
【０００９】
前記電源ユニット４０が遮断されると、即ち前記オーディオ装置１００がオフされる瞬間、前記制御ユニット１０は、前記ミュート制御回路２０にトリガー信号を送信し、前記ミュート制御回路２０は、前記トリガー信号に基づいて、前記増幅器３０にミュート信号を送信し、前記増幅器３０は、前記ミュート信号に基づいて出力を停止し、前記スピーカー５０の音声の再生を停止させて、前記オーディオ装置１００がオフされる時のノイズの発生を防止する。
【００１０】
図２を参考すると、前記電源ユニット４０は、電圧源Ｖｃｃ及び第一キャパシタンスＣ１を備える。前記第一キャパシタンスＣ１の一端は、電圧源Ｖｃｃに接続され、他端は、接地される。前記電圧源Ｖｃｃは、前記制御ユニット１０及び前記ミュート制御回路２０に接続される。
【００１１】
前記ミュート制御回路２０は、第一検出ユニット２２、信号生成ユニット２４及び第二検出ユニット２６を備える。前記第一検出ユニット２２は、第一電気抵抗Ｒ１、第二電気抵抗Ｒ２及び第二キャパシタンスＣ２を備える。前記第一電気抵抗Ｒ１の一端は、前記電圧源Ｖｃｃと前記信号生成ユニット２４との間に接続され、他端は、前記信号生成ユニット２４を介して接地される。前記第二電気抵抗Ｒ２の一端は、前記第一電気抵抗Ｒ１と前記第二キャパシタンスＣ２との間に接続され、他端は、前記信号生成ユニット２４及び前記第二検出ユニット２６に接続される。前記第一検出ユニット２２は、前記電圧源Ｖｃｃがオンされると、即ち前記オーディオ装置１００がオンされる瞬間、検出信号を発生して前記信号生成ユニット２４に送信する。
【００１２】
前記信号生成ユニット２４は、第一スイッチユニットＱ１と、第二スイッチユニットＱ２と、第三スイッチユニットＱ３と、第三電気抵抗Ｒ３と、第四電気抵抗Ｒ４と、を備える。前記第三電気抵抗Ｒ３の一端は、前記第二電気抵抗Ｒ２と前記第二検出ユニット２６との間に接続され、他端は、前記第一スイッチユニットＱ１のベース電極に接続される。前記第一スイッチユニットＱ１のエミッタ電極は、前記電圧源Ｖｃｃに接続され、前記第一スイッチユニットＱ１のコレクタ電極は、前記第三スイッチユニットＱ３のベース電極に接続される。第四電気抵抗Ｒ４の一端は、前記第一スイッチユニットＱ１のエミッタ電極に接続され、他端は、前記第二スイッチユニットＱ２のベース電極に接続される。前記第二スイッチユニットＱ２のエミッタ電極は、前記第一電気抵抗Ｒ１と第二電気抵抗Ｒ２との間に接続され、前記第二スイッチユニットＱ２のコレクタ電極は、前記第三スイッチユニットＱ３のベース電極に接続される。前記第三スイッチユニットＱ３のエミッタ電極は、接地され、前記第三スイッチユニットＱ３のコレクタ電極は、前記増幅器３０のミュート制御端子３２に接続される。
【００１３】
前記電圧源Ｖｃｃがオンされると、即ち前記オーディオ装置１００がオンされる瞬間、前記信号生成ユニット２４は、前記第一検出ユニット２２から出力される検出信号及び前記電圧源Ｖｃｃから出力される電圧を受信して、ミュート信号を生成して前記増幅器３０に送信し、前記増幅器３０は、前記ミュート信号に基づいて出力を停止し、前記スピーカー５０の駆動を停止させて、前記オーディオ装置１００がオンされる時のノイズの発生を防止する。
【００１４】
前記電圧源Ｖｃｃが供給された後、即ち前記オーディオ装置１００が作動した時、前記信号生成ユニット２４は、前記第一検出ユニット２２から出力される制御信号及び前記電圧源Ｖｃｃから出力される電圧に基づいて、ミュート信号の入力を停止させる。従って、前記増幅器３０は出力を開始し、前記スピーカー５０の音声の再生を正常に駆動できる。
【００１５】
前記第二検出ユニット２６は、第五電気抵抗Ｒ５と、第六電気抵抗Ｒ６と、第三キャパシタンスＣ３と、第四スイッチユニットＱ４と、を備える。前記第五電気抵抗Ｒ５の一端は、前記制御ユニット１０に接続され、他端は、前記第四スイッチユニットＱ４のベース電極に接続される。前記第四スイッチユニットＱ４のコレクタ電極は、前記第二電気抵抗Ｒ２及び前記第三電気抵抗Ｒ３に接続され、前記第四スイッチユニットＱ４のエミッタ電極は接地される。前記第六電気抵抗Ｒ６と前記第三キャパシタンスＣ３とは、前記第四スイッチユニットＱ４のベース電極とグランドとの間に並列に接続される。即ち、前記第六電気抵抗Ｒ６の一端は、前記第五電気抵抗Ｒ５と前記第四スイッチユニットＱ４のベース電極との間に接続され、他端は、接地される。前記第三キャパシタンスＣ３の一端は、前記第五電気抵抗Ｒ５と第四スイッチユニットＱ４のベース電極との間に接続され、他端は、接地にされる。本実施形態において、前記第一スイッチユニットＱ１と前記第二スイッチユニットＱ２とは、全てＰＮＰ型トランジスタであり、前記第三スイッチユニットＱ３と第四スイッチユニットＱ４とは、全てＮＰＮ型トランジスタである。
【００１６】
前記第二検出ユニット２６は、前記制御ユニット１０に接続され、前記電圧源Ｖｃｃが遮断されると、即ち前記オーディオ装置１００がオフされる瞬間、前記制御ユニット１０から出力されるトリガー信号を受信し、前記第二検出ユニット２６は、前記トリガー信号に基づいて前記信号生成ユニット２４に検出信号を送信する。
【００１７】
前記電圧源Ｖｃｃが遮断されると、即ち前記オーディオ装置１００がオフされる瞬間、前記信号生成ユニット２４は、前記第二検出ユニット２６から出力される検出信号及び前記電源ユニット４０から出力される放電電圧を受信して、ミュート信号を生成して前記増幅器３０に送信する。前記増幅器３０は、前記ミュート信号に基づいて出力を停止し、前記スピーカー５０の音声の再生を停止させて、前記オーディオ装置１００がオフされる時のノイズの発生を防止する。
【００１８】
前記オーディオ装置１００の作動原理は次のように記載されている。
【００１９】
前記電圧源Ｖｃｃがオンされると、前記第二キャパシタンスＣ２の両端の電圧は、ゼロであり、前記第一スイッチユニットＱ１のベース電極の電圧は、低電圧であり、且つ前記第一スイッチユニットＱ１がオンされる。前記第三スイッチユニットＱ３のベース電極の電圧は、高電圧であり、前記第三スイッチユニットＱ３がオンされて、前記増幅器３０のミュート制御端子３２の電圧を低電圧とする。従って、前記増幅器３０の出力が停止し、前記スピーカー５０の音声の再生が停止される。
【００２０】
前記電圧源Ｖｃｃが供給された後、即ち前記第二キャパシタンスＣ２の両端に電圧Ｖｃｃが供給されて、前記第一スイッチユニットＱ１のベース電極の電圧が高電圧になり、前記第一スイッチユニットＱ１がオフされ、前記第三スイッチユニットＱ３がオフされることによって、前記増幅器３０のミュート制御端子３２の電圧が低電圧にならず、前記増幅器３０は、前記スピーカー５０の音声の再生を正常に駆動する。
【００２１】
前記電圧源Ｖｃｃが遮断されると、前記制御ユニット１０は、前記第四スイッチユニットＱ４のベース電極に高電圧を提供し、前記第四スイッチユニットＱ４がオンされる。前記第一スイッチユニットＱ１のベース電極の電圧は、低電圧である。前記電圧源Ｖｃｃが正常的に電圧を供給する時、前記第一キャパシタンスＣ１の両端に電圧Ｖｃｃが供給されるので、前記第一スイッチユニットＱ１がオンされ、前記第一キャパシタンスＣ１の放電電圧によって前記第三スイッチユニットＱ３がオンされることによって、前記増幅器３０の出力が停止し、前記スピーカー５０の音声の再生が停止される。
【００２２】
前記第一キャパシタンスＣ１が放電する電圧が低電圧である場合、前記第一スイッチユニットＱ１がオフされ、前記第二スイッチユニットＱ２のベース電極の電圧が低電圧であり、前記第二キャパシタンスＣ２の放電電圧によって前記第二スイッチユニットＱ２がオンされて、前記第三スイッチユニットＱ３のオン状態を保持し、前記増幅器３０は続いて作動停止を保持して、前記スピーカー５０の音声の再生停止時間が延長になる。
【００２３】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２４】
１０      制御ユニット
２０      ミュート制御回路
２２      第一検出ユニット
２４      信号生成ユニット
２６      第二検出ユニット
３０      増幅器
３２      ミュート制御端子
４０      電源ユニット
５０      スピーカー
Ｖｃｃ    電圧源
Ｃ１      第一キャパシタンス
Ｃ２      第二キャパシタンス
Ｃ３      第三キャパシタンス
Ｒ１      第一電気抵抗
Ｒ２      第二電気抵抗
Ｒ３      第三電気抵抗
Ｒ４      第四電気抵抗
Ｒ５      第五電気抵抗
Ｒ６      第六電気抵抗
Ｑ１      第一スイッチユニット
Ｑ２      第二スイッチユニット
Ｑ３      第三スイッチユニット
Ｑ４      第四スイッチユニット
１００    オーディオ装置
【図１】
2011139444.tif 000003
【図２】
2011139444.tif 000004